(57)【要約】      （修正有）【課題】スマート家電を購入した後、電気機器とサーバーの接続・相互通信を簡単にする。【解決手段】受注プロセスＰ０１は、クライアント側から送信された基本情報と購入品情報によって構成される注文データを受け取り、検索プロセスＰ０２が注文データの基本情報に該当するクライアント情報を確認するため、データベースを検索する。データ登録プロセスＰ０３は、注文データの基本情報に該当するクライアント情報が存在しないとき、注文データの基本情報にデータリンク識別子を振り当ててユーザー情報ファイルを作成するとともに、ユーザー情報ファイルをデータベースに保存する。注文準備プロセスＰ０４は、注文データの基本情報に該当するユーザー情報ファイルを引き出し、商品準備プロセスＰ０５が、注文データの購入品情報により、一つ以上の電子製品を準備する。書込みプロセスＰ０６は、電子製品にデータリンク識別子を書き込む。【選択図】図３
2016058056.tif 000002
【特許請求の範囲】
【請求項１】
基本情報及び購入品情報を有する注文データを受信する受注プロセスと、
前記基本情報により、この基本情報に該当するクライアント情報が存在するか否かを確認するため、データベースを検索する検索プロセスと、
前記基本情報に該当するクライアント情報が前記データベースに存在しないとき、前記基本情報にデータリンク識別子を振り当ててユーザー情報ファイルを作成し、このユーザー情報ファイルをデータベースに保存するデータ登録プロセスと、
前記注文データ、及び前記ユーザー情報ファイルを引き出す注文準備プロセスと、
前記注文データの購入品情報により、一つ以上の電子製品を準備する商品準備プロセスと、
前記ユーザー情報ファイルのデータリンク識別子に基づき、電子製品にこのデータリンク識別子を書き込む書込みプロセスと、を備えていることを特徴とする、
カスタマイズされた商品注文処理方法。
【請求項２】
請求項１において、前記電子製品が前記データリンク識別子により、このデータリンク識別子をもつ別の電子製品とペアリングして相互リンクすることができるようにすることを特徴とする、カスタマイズされた商品注文処理方法。
【請求項３】
請求項２において、前記電子製品が前記データリンク識別子を用いて閉域網を形成することを特徴とする、カスタマイズされた商品注文処理方法。
【請求項４】
複数のユーザー情報ファイルが保存されており、おのおののユーザー情報ファイルは、少なくとも一つのクライアント情報及び一つのデータリンク識別子を有しているデータベースと、
基本情報と購入品情報を有する注文データを受信する受注モジュールと、
前記受注モジュールから伝送されてきた前記注文データを受信する中央処理モジュールと、
前記中央処理モジュールから伝送されてきた前記注文データの基本情報を受信し、その基本情報と、前記データベース内におけるユーザー情報ファイルとを突合せして検索し、その結果によって肯定信号または否定信号を作成し、肯定信号または否定信号を中央処理モジュールまで伝送する検索モジュールと、
前記否定信号に基づき、ユーザー情報ファイルを新規作成し、このユーザー情報ファイルが前記基本情報及びデータリンク識別子を有しているデータ登録モジュールと、
前記注文データを受信すると、注文データの購入品情報により、購入品情報に該当する一つ以上の電子製品を準備する商品準備モジュールと、
前記注文データ及び前記ユーザー情報ファイルを受信し、注文データの購入品情報によって、前記ユーザー情報ファイルの中のデータリンク識別子を電子製品に書込みする書込みモジュールと、を備えていることを特徴とする、
カスタマイズされた商品注文処理システム。
【請求項５】
請求項４において、前記中央処理モジュールが前記否定信号を受信した後、これを前記データ登録モジュールまで送信でき、または前記肯定信号を受信した後、これを商品準備モジュール及び書込みモジュールまで送信できる、カスタマイズされた商品注文処理システム。
【発明の詳細な説明】
【技術分野】
【０００１】
本発明は、商品注文処理方法、特にカスタマイズされた商品注文処理方法とその応用のためのシステムを提供する。
【背景技術】
【０００２】
スマート家電とは、遠隔操作装置を用いて、これと接続されている電気機器の動作状態を確認、または制御（または監視）する電子応用技術である。かつて無線伝送技術があまり発達していなかったころは、遠隔操作で電気機器の動作を確認または制御したいと思えば、信号送信線で電気機器と遠隔操作装置をつなぎ、相互通信できるようにしなければならなかった。信号伝送線で接続する方法は、距離の制限を受けるだけでなく、監視される電気機器の台数が多くなると、信号伝送線が多くなりすぎて、配線の困難や外観の見苦しさをもたらした。よって、スマート家電の考え方は実配線の時代にはほとんど発達しなかった。
しかし、無線伝送技術の進歩により、スマート家電の構想もしだいに現実味が出てきた。Ｂｌｕｅｔｏｏｔｈ(登録商標)、ＷｉＦｉ(登録商標)及びＺｉｇｂｅｅ(登録商標)は、スマート家電に応用されている無線技術として、ここ数年よく見受けられる。これらの無線技術はそれぞれ長所短所がある。Ｂｌｕｅｔｏｏｔｈはペアリング接続は便利だが、相互に接続できる電気機器は８台までであり、ＷｉＦｉはデータ伝送速度が速く、さまざまな設備に接続できるが、電力消費が大きく、信号受信に死角があり、Ｚｉｇｂｅｅは伝送距離が長く、接続台数も多く、ネットワーク機能を有している。
しかし、上述の長所短所以外に、消費者が最も気にするのは、ペアリングと取り付けの問題である。通常、スマート家電は各電気機器が一台のサーバーと接続されているので、新しい電気機器をスマート家電に加える場合には、「設定」動作を行って電気機器をサーバーとつなげなければならない。しかし、すべての消費者が設定の手順及び方法に通じているわけではないので、これがスマート家電の使用意欲を大いに削いでいる。また、消費者が設定の手順及び方法に通じているとしても、時間をかけて設定しなければならないので、知らず知らずのうちに少なくない時間をムダにする。
従って、消費者にスマート家電を購入してもらった後において、いかにして電気機器とサーバーの接続・相互通信を簡単にするかが、重要テーマのひとつであり、業界が努力して達成すべき目標となってくる。
【発明の概要】
【発明が解決しようとする課題】
【０００３】
以上を踏まえ、本発明の目的は、消費者にスマート家電を購入してもらった後、簡単な取り付けとペアリングを行うだけですぐに使えるようにするためにカスタマイズされた、商品注文処理方法及びその応用のためのシステムを提供することにある。
【課題を解決するための手段】
【０００４】
前記目的を達成するため、本発明は、受注プロセス、検索プロセス、データ登録プロセス、注文準備プロセス、商品準備プロセス、及び書込みプロセスを備えていることを特徴とする。
受注プロセスは、クライアント側から送信された注文データを受け取る過程であり、注文データは基本情報と購入品情報によって構成されている。検索プロセスは注文データの基本情報により、基本情報に該当するクライアント情報が存在するか否かを確認するため、データベースを検索する。データ登録プロセスは、注文データの基本情報に該当するクライアント情報が存在しないとき、注文データの基本情報にデータリンク識別子を振り当ててユーザー情報ファイルを作成するとともに、ユーザー情報ファイルをデータベースに保存する。注文準備プロセスは、注文データ、及びその注文データの基本情報に該当するユーザー情報ファイルを引き出す。商品準備プロセスは、注文データの購入品情報により、一つ以上の電子製品を準備する。書込みプロセスは、電子製品にデータリンク識別子を焼く、或いは書き込む。
本発明の実施例においては、電子製品に書込みされたデータリンク識別子によって、このデータリンク識別子を有する別の電子製品と相互にペアリングができるようになる。
【０００５】
前記目的を達成するため、本発明は、データベース、受注モジュール、中央処理モジュール、検索モジュール、データ登録モジュール、商品準備モジュール、及び書込みモジュールを備えてカスタマイズされた、商品注文処理システムを提供する。
データベースには複数のユーザー情報ファイルが保存されており、おのおののユーザー情報ファイルは、少なくとも一つのクライアント情報及び一つのデータリンク識別子を有している。受注モジュールは、基本情報と購入品情報を有する注文データを受信する。中央処理モジュールは、受注モジュールから伝送されてきた注文データを受信する。検索モジュールは、中央処理モジュールから伝送されてきた注文データの基本情報を受信し、その基本情報と、データベース内におけるユーザー情報ファイルとを突合せして検索する。突合せ検索後、検索結果によって肯定信号または否定信号が作成され、肯定信号または否定信号は中央処理モジュールまで伝送される。データ登録モジュールは否定信号に基づき、この基本情報に該当するクライアント情報及びデータリンク識別子をもつユーザー情報ファイルを新規作成する。商品準備モジュールは、注文データを受信すると、注文データの購入品情報により、購入品情報に該当する一つ以上の電子製品を準備する。書込みモジュールは、注文データ及び注文データの基本情報に該当するユーザー情報ファイルを受信し、注文データの購入品情報によって、ユーザー情報ファイルの中のデータリンク識別子を電子製品に書込みする。
以上をまとめると、カスタマイズされた商品注文処理方法とその応用のためのシステムである本発明においては、消費者が電子製品を注文した後、すぐにペアリング用のデータリンク識別子を電子製品の中に書込みする。
よって、消費者が電子製品を受け取った後は、電源につないでお好みの位置に置くだけで、その電子製品は、同じデータリンク識別子をもつ他の電子製品と相互にペアリングできる。こうすることで、消費者はスマート家電の対象ひとつひとつを設定するのに要する時間と手間を省くことができる。
【図面の簡単な説明】
【０００６】
【図１】本発明の代表的な実施例におけるカスタマイズ商品注文処理システムのシステム構造図である。
【図２】本発明の代表的な実施例におけるカスタマイズ商品注文処理システムのシステム構造図である。
【図３】本発明の代表的な実施例におけるカスタマイズ商品注文処理方法のフローチャート図である。
【発明を実施するための形態】
【０００７】
以下、実施例を通して本発明の内容を説明するに当たり、本発明の実施例は、決して実施例において述べた環境、用法または特殊な方法に限定するものではない。従って、実施例の説明は、本発明の目的を叙述するためであって、本発明に制限を加えるためではない。
以下の実施例及び図においては、本発明と直接に係わりのない部分については省略し、図示もしておらず、図中における各部の相対的な大きさの関係は、説明を容易にするためであって、実際の比率に制限を加えるものではない。
【０００８】
本実施例においては、消費者がネットショッピングの方式で電子製品を注文購入する例を用いて説明する。そのうち、電子製品はスマート家電の対象となるものであり、たとえば、スマート家電サーバー、テレビ受信機、冷蔵庫、エアコン、音響装置、スイッチまたはコンセントなどであり、ここでは特に制限を加えない。また、スマート家電はＢｌｕｅｔｏｏｔｈ、ＷｉＦｉ、ＺｉｇｂｅｅまたはＺ  Ｗａｖｅなどの通信規格とリンクできるが、本実施例においてはＺｉｇｂｅｅを用いて説明する。
【０００９】
図１に示すように、消費者はクライアント側１０においてコンピュータまたはモバイル端末経由でインターネット２０に接続し、購入したい電子製品を選んで基本情報を入力した後、注文データ４１をカスタマイズ注文処理システム３０に伝送して注文動作を終える。ここにおいて、注文データ４１は少なくとも、消費者の基本情報４１１及び購入した電子製品及びその数量を代表する購入品情報４１２から構成されている。
【００１０】
図２と図３を合わせて説明を進めるに当たり、図２はカスタマイズ注文処理システム３０のシステム構造図であり、図３はカスタマイズ注文処理システムの実行フローチャート図である。
図２に示すように、カスタマイズ注文処理システム３０は、データベース３１、受注モジュール３２、中央処理モジュール３３、検索モジュール３４、データ登録モジュール３５、商品準備モジュール３６及び書込みモジュール３７から構成されている。そのうち、データベース３１は複数のユーザー情報ファイル５１Ａを保存しており、おのおののユーザー情報ファイル５１Ａは、少なくとも一つのクライアント情報５１１Ａ及び一つのデータリンク識別子５１２Ａを有している。
【００１１】
ここで図３に目をやると、カスタマイズ注文処理方法は、受注プロセスＰ０１、検索プロセスＰ０２、データ登録プロセスＰ０３、注文準備プロセスＰ０４、商品準備プロセスＰ０５及び書込みプロセスＰ０６から構成されている。
【００１２】
受注プロセスＰ０１は、クライアント側１０から送信された注文データ４１を受け取る過程である。本実施例においては、受注プロセスＰ０１は、受注モジュール３２経由で注文データ４１を受信するとともに、注文データ４１を中央処理モジュール３３に伝送する。
【００１３】
検索プロセスＰ０２は、注文データ４１の基本情報４１１により、基本情報４１１に該当するクライアント情報５１１Ａが存在するか否かを確認するため、データベース３１を検索する。本実施例においては、中央処理モジュール３３が注文データ４１の基本情報４１１を検索モジュール３４に伝送してから、検索モジュール３４がユーザー情報ファイル５１Ａのクライアント情報５１１Ａと対比させてデータベース３１を検索し、一致する情報があるか否かを確認する。
検索モジュール３４がデータベース３１において一致するクライアント情報５１１Ａを探し出したときは、肯定信号Ｓ１を中央処理モジュール３３に向けて伝送し、検索モジュール３４がデータベース３１において一致するクライアント情報５１１Ａを探し出せなかったときは、否定信号Ｓ２を中央処理モジュール３３に向けて伝送する。中央処理モジュール３３が、検索モジュール３４から伝送されてきた否定信号Ｓ２を受信した後は、データ登録モジュール３５を有効化（ｅｎａｂｌｅ）してデータ登録プロセスＰ０３を実行する。中央処理モジュール３３が、検索モジュール３４から伝送されてきた肯定信号Ｓ１を受信した後は、商品準備モジュール３６及び書込みモジュール３７を有効化して、注文準備プロセスＰ０４を実行する。
【００１４】
データ登録プロセスＰ０３は、注文データ４１の基本情報４１１にデータリンク識別子５１２Ｂを振り当ててユーザー情報ファイル５１Ｂを作成する。この作成が完了すると、ユーザー情報ファイル５１Ｂがデータベース３１に保存される。本実施例においては、データ登録プロセスＰ０３は、データ登録モジュール３５が注文データ４１の基本情報４１１に基づいて、これに該当するクライアント情報５１１Ｂを作成し、データリンク識別子５１２Ｂを振り当ててユーザー情報ファイル５１Ｂを作成するが、ここにおいて、データリンク識別子５１２Ｂはシステムが直接作成して振り当てる。データベース３１においてユーザー情報ファイル５１Ｂが作成された後、注文準備プロセスＰ０４を実行する。
【００１５】
注文準備プロセスＰ０４は、注文データ４１、及びその注文データ４１の基本情報４１１に該当するユーザー情報ファイル５１Ｂを引き出す。本実施例においては、基本情報４１１及びこれに呼応するユーザー情報ファイル５１Ｂは、中央処理モジュール３３が引き出して一時的に保存する。これに継いで、商品準備プロセスＰ０５を実行する。
【００１６】
商品準備プロセスＰ０５は、注文データ４１の購入品情報４１２により、一つ以上の電子製品を準備する。本実施例においては、商品準備モジュール３６が、中央処理モジュール３３に一時的に保存されている、注文データ４１の購入品情報４１２を受信し、注文が出された電子製品の準備を進めるが、この際、自動化設備を通して適切な電子製品とその個数を取り揃えてもよいし、手作業により準備作業を進めてもよい。電子製品の準備が完了したら、書込みプロセスＰ０６を実行する。
【００１７】
書込みプロセスＰ０６は、ユーザー情報ファイル５１Ｂのデータリンク識別子５１２Ｂに基づき、電子製品にデータリンク識別子５１２Ｂを焼く、或いは書き込む。本実施例においては、書込みモジュール３７が、中央処理モジュール３３に一時的に保存されている、注文データ４１の購入品情報４１２、及びユーザー情報ファイル５１Ｂのデータリンク識別子５１２Ｂを受信し、購入品情報４１２に基づいて、注文が出された電子製品にデータリンク識別子５１２Ｂを焼く、或いは書き込む。
【００１８】
機能試験プロセスＰ０７は、データリンク識別子５１２Ｂを書込み済みの電子製品に対して試験を実施する。本実施例においては、少なくとも、同じデータリンク識別子５１２Ｂが書込みされた他の電子製品とのペアリング及びデータ伝送の試験が含まれる。機能試験を終えた後、出荷プロセスＰ０８を実施できる状態となり、このプロセスは、電子製品を包装して注文データ４１に記載されている住所に送り届ける過程である。
【００１９】
ここにおいて、Ｚｉｇｂｅｅ通信規格にあるＰＡＮ  ＩＤ（Ｐｅｒｓｏｎａｌ  ａｒｅａ  ｎｅｔｗｏｒｋ  ｉｄｅｎｔｉｆｉｅｒｓ）と呼ばれるデータリンク識別子について説明しておく。データリンク識別子を用いて閉域網を形成することにより、このデータリンク識別子をもつ電子製品を閉域網内において相互にリンクさせて、スマート家電の使用環境を整えることができる。
その他の実施例、たとえば、Ｂｌｕｅｔｏｏｔｈ、ＷｉＦｉ、ＺｉｇｂｅｅまたはＺ  Ｗａｖｅといった通信規格により閉域網を形成する実施例においては、データリンク識別子は、これらの通信規格において相互リンクを可能ならしめるデータリンク識別子を採用することになり、データリンク識別子は身分証明書番号でも、特定で独自の文字列でもよく、特に制限を加えない。これは、同じデータリンク識別子をもつ電子製品を相互にリンクさせ、スマート家電の目的を達成するためである。
消費者は注文購入した電子製品を受け取った後、これをお好みの場所に置き、電源をつなぐだけで、この電子製品は起動後に、信号が届く範囲内において、同じデータリンク識別子をもつ他の電子製品と自動的に相互通信を行い、データリンク識別子によって自動的にペアリングして相互にリンクされる。消費者は電子製品に対してペアリングという設定動作を行う必要はない。
【００２０】
以下、消費者の立場から実例を挙げて、カスタマイズ注文処理方法の実際応用例を説明する。ただし、これは本発明の実施形態に制限を加えるものではない。
【００２１】
図１に示すように、消費者はクライアント側１０においてノートＰＣを用いてインターネット２０に接続し、オンラインでスマート家電関連の電子製品を購入する。消費者は、購入者情報、受取人情報及び購入したい電子製品の種類と数量を記入した後、注文情報を送信する。本実施例においては消費者は、コンセント一個、スイッチ一個及びスマート家電サーバー一個を購入するものとする。
【００２２】
カスタマイズ注文処理システム３０は、注文データを受信した後、上述のカスタマイズ注文処理方法の処理プロセスを進め、データリンク識別子をコンセント、スイッチ及びスマート家電サーバーにそれぞれ書込みし、機能試験を実施した後、包装して消費者に対し出荷する。
消費者は電子製品を受け取ると、建物の中の適切な位置に取り付け、それぞれ電源とつなぐ。たとえば、サーバーは応接間に置き、スイッチは照明器具のスイッチとして、コンセントは冷蔵庫のコンセントとして使うものとする。それぞれ電源とつないで起動させた後、サーバー、スイッチ及びコンセントが自動的にペアリングを行う際、サーバー、スイッチ及びコンセントには同じデータリンク識別子が書込みされているので、自動的にペアリングして相互リンクされ、閉域網を形成する。消費者はサーバー経由でオンライン接続すれば、前記のスイッチ及びコンセントの監視、制御などの動作を行うことができるようになる。
そして、しばらく後に、この消費者がオンラインでスマート家電関連の電子製品、たとえば音響装置を購入するとする。同様にして、カスタマイズ注文処理システム３０が注文データを受信した後、上述のカスタマイズ注文処理方法の処理プロセスを進め、この消費者専用のデータリンク識別子を音響装置に書込みし、試験を実施した後、包装して出荷する。
消費者は音響装置を受け取り、同様にして適切な位置に置き、電源とつなぎ、起動させると、音響装置にはデータリンク識別子が書込みされているので、同じデータリンク識別子をもつ周囲のサーバー、スイッチ及びコンセントと自動的にペアリングして相互にリンクされ、スマート家電ネットワークに自動的に組み込まれる。
【００２３】
以上を総合すると、カスタマイズされた商品注文処理方法およびその応用のためのシステムである本発明においては、消費者が電子製品を購入した後、ペアリング用のデータリンク識別子をあらかじめ電子製品に書込みする。従って、消費者が電子製品を受け取った後、電源につなぎ、お好みの位置に置くだけで、電子製品は同じデータリンク識別子をもつ他の電子製品とペアリングすることができる。こうすることで、消費者は複雑なネット接続の設定を行う必要もなく、スマート家電に組み込みたい電子製品に対して、毎回手間と時間をかけて設定を行う必要もない。
また、もし停電に遭遇しても、通電が一時断たれた電子製品を再び起動させた後に再設定を行う必要もなく、自動的に接続状態に復帰する。
【００２４】
本発明は特許取得の要件を満たしていると思われることから、ここに特許を出願する。ただし、以上は本発明における代表的な実施例にとどまり、これをもって特許請求の範囲が限定されるべきではない。本発明に係わる技能に精通した者が、本発明の趣旨に従い、適度な修飾や変化を加えることで同等の効果を得た場合は、以下における特許請求の範囲内とする。
【符号の説明】
【００２５】
１０  クライアント側
２０  インターネット
３０  カスタマイズ注文処理システム
３１  データベース
３２  受注モジュール
３３  中央処理モジュール
３４  検索モジュール
３５  データ登録モジュール
３６  商品準備モジュール
３７  書込みモジュール
４１  注文データ
４１１  基本情報
４１２  購入品情報
５１Ａ、５１Ｂ  ユーザー情報ファイル
５１１Ａ、５１１Ｂ  クライアント情報
５１２Ａ、５１２Ｂ  データリンク識別子
Ｐ０１−Ｐ０８  カスタマイズ注文処理方法
Ｓ１  肯定信号
Ｓ２  否定信号
【図１】
2016058056.tif 000003
【図２】
2016058056.tif 000004
【図３】
2016058056.tif 000005